(57)【要約】【課題】簡素な構成で過剰水素を無駄なく使用できる燃料電池システムを提供する。さらに、低温時において効果的に燃料電池を加熱できる燃料電池システムを提供する。【解決手段】水素と酸素とが供給され、これらの電気化学反応により電気エネルギを発生させる主燃料電池１０と、主燃料電池に供給される水素および主燃料電池１０から排出される未反応水素とが通過する水素流路と、水素流路における主燃料電池１０の下流側に配置され、未反応水素と酸素とが供給されるとともに、主燃料電池１０の最大出力の１〜２０％の範囲内における所定出力を有する補助燃料電池２０とを設ける。水素流路における補助燃料電池２０の下流側には水素流路を開閉可能な水素バルブ３２を設ける。主燃料電池１０に冷却水を循環させる冷却水流路における主燃料電池１０の上流側に補助燃料電池２０を配置する。【選択図】        図１
2004171881.tif 000002
【特許請求の範囲】
【請求項１】
水素と酸素とが供給され、これらの電気化学反応により電気エネルギを発生させる主燃料電池（１０）と、
前記主燃料電池に供給される水素および前記主燃料電池に供給される水素のうち前記主燃料電池（１０）から未反応のまま排出される未反応水素とが通過する水素流路と、
前記水素流路における前記主燃料電池の下流側に配置され、前記未反応水素と酸素とが供給され、これらの電気化学反応により電気エネルギを発生させるとともに、前記主燃料電池の最大出力の１〜２０％の範囲内における所定出力を有する補助燃料電池（２０）とを備えることを特徴とする燃料電池システム。
【請求項２】
前記水素流路における補助燃料電池の下流側には、前記水素流路を開閉可能な水素バルブ（３２）が設けられていることを特徴とする請求項１に記載の燃料電池システム。
【請求項３】
前記補助燃料電池には、加熱手段が設けられていることを特徴とする請求項１または２に記載の燃料電池システム。
【請求項４】
前記主燃料電池に冷却水を循環させる冷却水流路を備え、
前記補助燃料電池は、前記冷却水流路における前記主燃料電池の上流側に配置されていることを特徴とする請求項１ないし３のいずれか１つに記載の燃料電池システム。
【請求項５】
酸素を含む空気を前記主燃料電池および前記補助燃料電池に供給するための空気流路を備え、
前記空気流路は、前記主燃料電池を構成する複数のセルと前記補助燃料電池を構成する複数のセルのそれぞれに並列的に空気を供給する第１の空気供給モードと、前記補助燃料電池を構成する複数のセルに空気を供給しつつ前記主燃料電池を構成するセルをバイパスさせる第２の空気供給モードとを切り替え可能に構成されていることを特徴とする請求項１ないし４のいずれか１つに記載の燃料電池システム。
【発明の詳細な説明】
【０００１】
【発明の属する技術分野】
本発明は、水素と酸素との化学反応により電気エネルギを発生させる燃料電池を備える燃料電池システムに関するもので、車両、船舶及びポータブル発電器等の移動体に適用して有効である。
【０００２】
【従来の技術】
燃料電池システムでは、０℃以下の低温時に燃料電池を起動すると、発電により発生した水分が凍結して触媒表面を覆ったり流路に氷が詰まったりして、発電を継続できないという問題がある。このような問題を解決するために、温風や温水で燃料電池を加熱する方法が提案されている（例えば、特許文献１、２参照）。また、燃料電池停止時に燃料電池を保温する方法も提案されている（例えば、特許文献３参照）。
【０００３】
【特許文献１】
特開２００２−９３４４５号公報
【０００４】
【特許文献２】
特開２０００−１６４２３３号公報
【０００５】
【特許文献３】
特開２００１−１４３４７３６号公報
【０００６】
【発明が解決しようとする課題】
しかしながら、上記特許文献１および特許文献２に記載の方法では、燃料電池全体を加熱するために専用の機器、加熱する時間、大量の熱（水素消費）が必要であるという問題がある。また、上記特許文献３に記載の方法では、保温時のエネルギ消費が問題となる。
【０００７】
また、燃料電池システムでは、理想的には化学量論比で１倍の水素を供給すればよいが、実際には水素濃度を一定として反応を安定させたり、過剰水分の排出等のために１倍以上の過剰率で水素を供給している。このため、未反応水素が燃料電池から排出される。そして、未反応水素を再度利用するためにポンプを用いて水素を循環させる構成にしている。このため、水素循環用の部品や制御機器が増加している。さらに、０℃以下での低温時に水分によるポンプの凍結などの問題も有している。
【０００８】
本発明は、上記点に鑑み、簡素な構成で過剰水素を無駄なく使用できる燃料電池システムを提供することを目的とする。さらに、低温時において効果的に燃料電池を加熱できる燃料電池システムを提供することを他の目的とする。
【０００９】
【課題を解決するための手段】
上記目的を達成するため、請求項１に記載の発明では、水素と酸素とが供給され、これらの電気化学反応により電気エネルギを発生させる主燃料電池（１０）と、主燃料電池に供給される水素および主燃料電池に供給される水素のうち主燃料電池（１０）から未反応のまま排出される未反応水素とが通過する水素流路と、水素流路における主燃料電池の下流側に配置され、未反応水素と酸素とが供給され、これらの電気化学反応により電気エネルギを発生させるとともに、主燃料電池の最大出力の１〜２０％の範囲内における所定出力を有する補助燃料電池（２０）とを備えることを特徴としている。
【００１０】
このように、主燃料電池（１０）から排出される未反応水素を消費できる補助燃料電池（２０）を、水素流路における主燃料電池（１０）の下流側に設けることで、主燃料電池（１０）には常に新鮮な水素を供給することができる。これにより、従来行われていた燃料電池から排出される未反応水素の燃料電池への再循環と同様の状況を作り出すことができ、水素循環に要する機器や電力を不要にすることができる。これにより、簡素な構成で過剰水素を無駄なく使用することが可能となる。
【００１１】
また、請求項２に記載の発明では、水素流路における補助燃料電池の下流側には、水素流路を開閉可能な水素バルブ（３２）が設けられていることを特徴としている。これにより、水素バルブ（３２）により水素流路を閉鎖することで、補助燃料電池（２０）を閉塞運転させることができ、主燃料電池（１０）から排出された未反応水素をすべて補助燃料電池（２０）で消費させることができる。
【００１２】
また、請求項３に記載の発明では、補助燃料電池には、加熱手段が設けられていることを特徴としている。このような構成により、低温起動時に主燃料電池（１０）より体格の小さい補助燃料電池（２０）を加熱することで、主燃料電池（１０）を加熱する場合より少ない熱量で効率的に補助燃料電池（２０）を加熱することができる。この結果、早期に燃料電池システムを起動させることができる。
【００１３】
また、請求項４に記載の発明では、記主燃料電池に冷却水を循環させる冷却水流路を備え、補助燃料電池は、冷却水流路における主燃料電池の上流側に配置されていることを特徴としている。これにより、低温起動時に補助燃料電池２０で発電開始後、補助燃料電池（２０）での発電による発熱で暖められた冷却水が主燃料電池（１０）に送り込まれることになり、主燃料電池（１０）を加熱することができる。また、請求項２に記載の発明のように加熱手段が設けられている場合には、冷却水は加熱手段でも加熱される。
【００１４】
また、請求項５に記載の発明では、酸素を含む空気を主燃料電池および補助燃料電池に供給するための空気流路を備え、空気流路は、主燃料電池を構成する複数のセルと補助燃料電池を構成する複数のセルのそれぞれに並列的に空気を供給する第１の空気供給モードと、補助燃料電池を構成する複数のセルに空気を供給しつつ主燃料電池を構成するセルをバイパスさせる第２の空気供給モードとを切り替え可能に構成されていることを特徴としている。
【００１５】
このような構成により、低温起動時に第２の空気供給モードとすることで、主燃料電池（１０）を構成するセル内には空気が流れないため、補助燃料電池（２０）が必要な空気量のみを供給すればよい。これにより空気供給装置の省動力化を図ることができる。
【００１６】
なお、上記各手段の括弧内の符号は、後述する実施形態に記載の具体的手段との対応関係を示すものである。
【００１７】
【発明の実施の形態】
（第１実施形態）
以下、本発明の第１実施形態について図１に基づいて説明する。
【００１８】
図１は本第１実施形態の燃料電池システムの主要部の構成を示す概念図である。図１（ａ）〜（ｃ）はそれぞれ、燃料電池システムの空気流路、水素流路、冷却水流路を示している。
【００１９】
図１（ａ）〜（ｃ）に示すように、燃料電池システムにはメインとなる主燃料電池１０が設けられている。主燃料電池１０は、水素と酸素との電気化学反応を利用して電力を発生するものである。本第１実施形態では燃料電池１０として固体高分子電解質型燃料電池を用いており、基本単位となるセルが複数積層されて構成されている。複数のセルは、図１中の上下方向に積層されているものとする。セルは、電解質膜が一対の電極で挟まれて構成されている。燃料電池１０では、水素および空気（酸素）が供給されることにより、水素と酸素の電気化学反応が起こり電気エネルギが発生する。主燃料電池１０で発電した電力は、例えば図示しないインバータを介して電動モータに供給することができる。
【００２０】
燃料電池１０には、図示しない空気供給装置より酸素を含んだ空気が供給され、図示しない水素供給装置より水素が供給される。水素は、所定出力を発電するのに必要な供給量（化学量論比で１）に対して、所定の過剰率（例えば１．１〜１．５）で主燃料電池１０に供給される。主燃料電池１０で消費されなかった未反応水素は、主燃料電池１０から排出される。なお、図示を省略しているが、燃料電池システムには、主燃料電池１０の出力電圧を変圧するＤＣ／ＤＣコンバータや２次電池等が設けられている。
【００２１】
また、燃料電池システムには、主燃料電池１０とは独立した補助燃料電池２０が設けられている。補助燃料電池２０は主燃料電池１０と同様のセルが積層されて構成されている。補助燃料電池２０の最大出力は、主燃料電池１０に過剰に供給された水素のうち主燃料電池１０から排出される未反応水素を消費できる値に設定すればよい。すなわち、補助燃料電池２０の最大出力は、主燃料電池１０における水素供給量の過剰率によって規定される値である。本第１実施形態では、補助燃料電池２０の最大出力を主燃料電池１０の最大出力の１〜２０％の範囲内で設定している。本第１実施形態の補助燃料電池２０は、主燃料電池１０よりセルの積層数を少なくすることで、最大出力を主燃料電池１０の１〜２０％としている。
【００２２】
補助燃料電池２０には、加熱手段としての電気ヒータ３０が設けられている。電気ヒータ３０は、図示しない２次電池からの電力で作動する。本第１実施形態の補助燃料電池２０のセルは、主燃料電池１０のセルと同じ形状（面積）であるため、出力電流が主燃料電池１０のセルと同じであり、出力電圧が主燃料電池１０のセルの１〜２０％の大きさとなっている。このため、燃料電池システムには、補助燃料電池２０の出力電圧を変圧するための図示しないＤＣ／ＤＣコンバータが設けられており、補助燃料電池２０で発生した電気エネルギは、ＤＣ／ＤＣコンバータを介して２次電池に蓄えられる。補助燃料電池２０には、図示しない温度センサが設けられている。
【００２３】
次に、空気流路、水素流路、冷却水流路における主燃料電池１０と補助燃料電池２０の位置関係について説明する。
【００２４】
図１（ａ）は燃料電池システムの空気流路を示している。図１（ａ）に示すように、補助燃料電池２０は主燃料電池１０の空気流路上流側に配置されている。主燃料電池１０には、主燃料電池１０を構成するセルに空気を流入させる空気流入側マニホールド１１と、セルから空気を流出させる空気流出側マニホールド１２が設けられている。同様に補助燃料電池２０には、補助燃料電池２０を構成するセルに空気を流入させる空気流入側マニホールド２１と、セルから空気を流出させる空気流出側マニホールド２２が設けられている。
【００２５】
補助燃料電池２０の空気流入マニホールド２１の下流側には、主燃料電池１０の空気流入側マニホールド１１が接続されている。補助燃料電池２０の空気流出マニホールド２２の下流側には、主燃料電池１０の空気流出側マニホールド１２が接続されている。補助燃料電池２０の空気流入マニホールド２１と主燃料電池１０の空気流入側マニホールド１１との間には、空気バルブ３１が設けられている。空気バルブ３１を開閉することで、２つの空気供給モードを切り替えることができる。
【００２６】
空気バルブ３１が開放された場合には、補助燃料電池２０を構成するセルと主燃料電池１０を構成するセルに空気が並列的に供給される第１の空気供給モードとなる。空気バルブ３１が閉鎖された場合には、補助燃料電池２０内を流れたすべての空気が主燃料電池１０の空気流出マニホールド１２を通過して排出される第２の空気供給モードとなる。すなわち、第２の空気供給モードでは、補助燃料電池２０を構成する複数のセルに空気を供給しつつ主燃料電池１０を構成するセルをバイパスさせることができる。
【００２７】
図１（ｂ）は燃料電池システムの水素流路を示している。図１（ｂ）に示すように、補助燃料電池２０は主燃料電池１０の水素流路下流側に配置されている。主燃料電池１０には、主燃料電池１０を構成するセルに水素を流入させる水素流入側マニホールド１３と、セルから水素を流出させる水素流出側マニホールド１４が設けられている。同様に補助燃料電池２０には、補助燃料電池２０を構成するセルに水素を流入させる水素流入側マニホールド２３と、セルから水素を流出させる水素流出側マニホールド２４が設けられている。
【００２８】
主燃料電池１０の水素流出マニホールド１４の下流側には、補助燃料電池２０の水素流入側マニホールド２３が接続されている。従って、水素流路においては、主燃料電池１０と補助燃料電池２０とが直列的に接続されており、主燃料電池１０から排出された水素が補助燃料電池２０に供給される。補助燃料電池２０の水素流入側マニホールド２３の出口側には、水素バルブ３２が設けられている。水素供給時に水素バルブ３２を閉鎖した場合には、主燃料電池１０および補助燃料電池２０内の水素圧が高くなるとともに、補助燃料電池２０に外部から空気が逆流するのを防止できる。
【００２９】
図１（ｃ）は燃料電池システムの冷却水流路を示している。図１（ｃ）に示すように、主燃料電池１０は補助燃料電池２０の冷却水下流側に配置されている。主燃料電池１０には、主燃料電池１０を構成するセルに冷却水を流入させる冷却水流入側マニホールド１５と、セルから冷却水を流出させる冷却水流出側マニホールド１６が設けられている。同様に補助燃料電池２０には、補助燃料電池２０を構成するセルに冷却水を流入させる冷却水流入側マニホールド２５と、セルから冷却水を流出させる冷却水流出側マニホールド２６が設けられている。
【００３０】
補助燃料電池２０の冷却水流出側マニホールド２６の下流側には、主燃料電池１０の冷却水流入側マニホールド１５が接続されている。従って、冷却水流路においては、主燃料電池１０と補助燃料電池２０とが直列的に接続されており、補助燃料電池２０から排出された冷却水が主燃料電池１０に供給される。
【００３１】
また、冷却水流路には、冷却水の一部を補助燃料電池２０を構成するセルをバイパスさせるバイパス流路３３が設けられている。バイパス流路３３は、補助燃料電池２０の入口と冷却水流出側マニホールド２６を接続している。従って、バイパス流路３３を通過する冷却水は、補助燃料電池２０において冷却水流出側マニホールド２６のみを通過する。
【００３２】
バイパス流路３３には、冷却水バルブ３４が設けられている。冷却水バルブ３４を開放した場合には、冷却水は補助燃料電池２０とバイパス流路３３を通過した後、主燃料電池１０に供給される。冷却水バルブ３４を閉鎖した場合には、すべての冷却水が補助燃料電池２０内のセルを通過した後、主燃料電池１０に供給される。
【００３３】
以下、上記構成の燃料電池システムの作動について説明する。最初に、通常運転時について説明する。通常運転時には、空気バルブ３１は開放され、水素バルブ３２は閉鎖され、冷却水バルブ３４は開放されている。まず、主燃料電池１０の水素流入側マニホールドに所定の過剰率で水素が供給され、未反応水素が主燃料電池１０の水素流出側マニホールド１４から排出される。主燃料電池１０から排出された未反応水素は、補助燃料電池２０の流入側マニホールド２３に供給される。このとき、水素バルブ３２は閉鎖されているので、補助燃料電池２０は閉塞運転される。この結果、主燃料電池１０から排出されるすべての未反応水素は補助燃料電池２０で消費され、電気エネルギに変換される。
【００３４】
補助燃料電池２０では、従来の燃料電池と同様に、空気流路から電解質膜を窒素が拡散するため水素流路内の窒素濃度が高くなり、相対的に水素濃度が低くなる。このため、水素流路内の窒素濃度により補助燃料電池２０の出力状態が変化する。従って、補助燃料電池２０の出力が所定値を下回った場合に、補助燃料電池２０内の窒素濃度が高くなったものとして、水素バルブ３２を開放する。これにより、補助燃料電池２０内から窒素を含む水素がパージされる。
【００３５】
次に、低温起動時について説明する。低温起動時には、空気バルブ３１、水素バルブ３２、冷却水バルブ３４はすべて閉鎖されている。まず、電気ヒータ３０に通電し、補助燃料電池２０を発電可能温度まで昇温させ、補助燃料電池２０での発電を開始する。補助燃料電池２０の最大出力は主燃料電池１０の最大出力の１〜２０％の所定値に設定されているので、補助燃料電池２０の加熱に必要な熱量は、主燃料電池１０の加熱に必要な熱量の１／２０〜１／１００程度である。このため、短期間で補助燃料電池２０を発電可能温度まで昇温させることができる。
【００３６】
図示しない空気供給装置と図示しない水素供給装置から空気および水素を供給し、補助燃料電池２０で発電を開始する。補助燃料電池２０で発生した電力は、電気ヒータ３０に投入して補助燃料電池２０自身の加熱に用いることができる。このとき、空気バルブ３１は閉鎖されており、主燃料電池１０を構成するセル内には空気が流れないため、補助燃料電池２０が必要な空気量のみを供給すればよい。これにより図示しない空気供給装置の省動力化を図ることができる。
【００３７】
電気ヒータ３０で暖められるとともに補助燃料電池２０での発電による発熱で暖められた冷却水は、主燃料電池１０に送り込まれ、主燃料電池１０を徐々に加熱する。このとき、補助補燃料電池２０が過熱しないように、図示しない温度センサにて補助燃料電池２０の温度を検出し、補助燃料電池２０に流れる冷却水流量を調整する。
【００３８】
主燃料電池１０が暖まり、発電可能になった時点で空気バルブ３１、冷却水バルブ３４を開放する。空気バルブ３１を開放することにより、主燃料電池１０に水素に加え、空気が供給されることになり、主燃料電池１０が発電可能な状態となる。また、通常運転時に主燃料電池１０が必要とする冷却水流量のすべてを補助燃料電池２０に流すとすると、補助燃料電池２０における圧損が大きくなる。従って、本第１実施形態のように冷却水バルブ３４を開放し、冷却水の一部を補助燃料電池２０をバイパスさせることで、補助燃料電池２０における冷却水の圧損が大きくなりすぎることを防止できる。
【００３９】
以上、本第１実施形態のように、主燃料電池１０から排出される未反応水素を消費できる補助燃料電池２０を、水素流路における主燃料電池１０の下流側に設けることで、主燃料電池１０には常に新鮮な水素を供給することができる。これにより、従来行われていた燃料電池から排出される未反応水素の燃料電池への再循環と同様の状況を作り出すことができ、水素循環に要する機器や電力を不要にすることができる。これにより、簡素な構成で過剰水素を無駄なく使用することが可能となる。
【００４０】
本第１実施形態では、補助燃料電池２０を閉塞運転しているが、小型であり発電量が少ないため、主燃料電池１０を閉塞運転した場合に見られるような水素濃度の不均一によりセル間の出力バラツキやセル内での自己放電を抑制することができる。
【００４１】
また、本第１実施形態では、補助燃料電池２０の最大発電量を主燃料電池１０の最大発電量の１〜２０％に設定しているので、暖機運転時に補助燃料電池２０を加熱して発電を開始させることで、低温時において効果的に燃料電池を加熱できる。これにより、短時間で燃料電池を起動させることができる。
【００４２】
（第２実施形態）
次に、本発明の第２実施形態について図２、図３に基づいて説明する。本第２実施形態は、上記第１実施形態に比較して、主燃料電池１０と補助燃料電池２０の配置が異なるものである。上記第１実施形態と同様の部分については同一の符号を付して説明を省略する。
【００４３】
図２は、本第２実施形態の主燃料電池１０と補助燃料電池２０の構成を示す概念図である。図２に示すように、本第２実施形態では、主燃料電池１０と補助燃料電池２０との間に分離部材４０が設けられ、主燃料電池１０と補助燃料電池２０は、分離部材４０を介して接続され一体的に構成されている。
【００４４】
図３は主燃料電池１０、分離部材４０、補助燃料電池２０のそれぞれが接する面の平面図である。図３（ａ）は主燃料電池１０の分離部材４０と接する面を示し、図３（ｂ）は分離部材４０の主燃料電池１０と接する面を示し、図３（ｃ）は補助燃料電池２０の分離部材４０と接する面を示している。図３（ａ）〜（ｃ）は、それぞれの面を主燃料電池１０→分離部材４０→補助燃料電池２０方向（図２中の上→下方向）からみた平面図となっている。
【００４５】
図３（ｂ）に示すように、分離部材４０には、第１空気通路４１、第２空気通路４２、水素通路４４、冷却水通路４５が形成されている。分離部材４０には、第１空気流路４１を開閉する空気バルブ３１が設けられている。本第１実施形態では、空気バルブ３１として電磁バルブを用いている。空気バルブ３１のシール面は空気流路下流側に向くように配置し、バルブ閉時にシール面が加圧されるようにし、シール性を高めている。また、空気バルブ３１の駆動部を空気流路より鉛直線上方に配置することで、空気流路内を流通する水滴が空気バルブ３１内部に溜まらないように構成されている。
【００４６】
分離部材４０は、主燃料電池１０と補助燃料電池２０との間を絶縁および断熱する必要がある。また、燃料電池１０、２０での発電により生じる水滴が付着すると低温時に空気バルブ３１が凍結するおそれがある。このため、分離部材４０は、絶縁性、断熱性、撥水性を有するテフロン（登録商標）を用いている。
【００４７】
空気は、補助燃料電池２０の空気流入側マニホールド２１→分離部材４０の第１空気通路４１→主燃料電池１０の空気流入側マニホールド１１と、補助燃料電池２０の空気流出側マニホールド２２→分離部材４０の第２空気通路４２→主燃料電池１０の空気流出側マニホールド１２の２つの流路を通過する。
【００４８】
水素は、主燃料電池１０の水素流出側マニホールド１４→分離部材４０の水素通路４４→補助燃料電池２０の水素流入側マニホールド２３の順に通過する。冷却水は、補助燃料電池２０の冷却水流出側マニホールド２６→分離部材４０の冷却水通路４５→主燃料電池１０の冷却水流入側マニホールド１５の順に通過する。
【００４９】
図２に戻り、補助燃料電池２０における分離部材４０の反対側に電気ヒータ３０と断熱部材５０が順に積層されている。本第２実施形態では、電気ヒータ３０としてシート状のラバーヒータを加工して用いている。また、断熱部材５０としてテフロン（登録商標）シートを用いている。積層された主燃料電池１０、分離部材４０、補助燃料電池２０、電気ヒータ３０、断熱部材５０は、通常燃料電池セルを積層してスタック構造として締結する場合と同様に、ボルト締めによって締結している。
【００５０】
以上の構成により、主燃料電池１０と補助燃料電池２０とを一体的に構成することができる。
【００５１】
（第３実施形態）
次に、本発明の第３実施形態について図４に基づいて説明する。上記第１実施形態と同様の部分については同一の符号を付して説明を省略する。
【００５２】
図４は、本第３実施形態の燃料電池システムの主要部の構成を示す概念図であり、燃料電池システムの水素流路を示している。図４に示すように、水素流路における補助燃料電池２０の下流側には、第１の補助燃料電池２０より小型の第２の補助燃料電池２００が設けられている。水素流路における第２の補助燃料電池２００の下流側に水素バルブ３２が設けられている。
【００５３】
第２の補助燃料電池２００は、主燃料電池１０より排出される未反応水素のうち第１の補助燃料電池２０で消費しきれなかった未反応水素を消費するものである。従って、第２の補助燃料電池２００は、第１の補助燃料電池２０から排出される未反応水素を消費できる大きさ（過剰水素分）であればよく、本第３実施形態における第２の補助燃料電池２００の最大出力は、第１の補助燃料電池２０最大出力の１／１０としている。また、第２の補助燃料電池２００は、冷却は空冷式とし、空気供給は自然拡散式とすることで、冷却水経路および空気経路を不要とした。
【００５４】
以上の構成により、第１の補助燃料電池２０から排出される未反応水素は第２の補助燃料電池２００にて消費されるため、通常運転時において第１の補助燃料電池２０を閉塞運転する必要がなくなる。
【００５５】
（他の実施形態）
なお、上記各実施形態では、補助燃料電池２０は、主燃料電池１０のセルと同じ形状（面積）のセルを用い、セル積層数を主燃料電池１０の１〜２０％としたが、これに限らず、補助燃料電池２０のセル面積を主燃料電池１０のセル面積の１〜２０％とすることで、補助燃料電池２０を主燃料電池１０と積層数は同じで最大出力を主燃料電池１０の１〜２０％とすることができる。これにより、補助燃料電池２０の出力電圧が主燃料電池１０と同じになるので、補助燃料電池２０専用のＤＣ／ＤＣコンバータを用いなくても、主燃料電池１０と補助燃料電池２０を電気的に並列に用いることができる。
【００５６】
また、補助燃料電池２０のセル積層数を調整して、補助燃料電池２０の出力電圧を例えば４２ボルトあるいは１４ボルトとすることで、従来主燃料電池１０から変圧していた回路をなくし、４２ボルトあるいは１４ボルトの定電圧機器の専用電源として用いることができる。
【００５７】
また、上記各実施形態では、図１（ａ）で示した空気流路を、補助燃料電池２０→主燃料電池１０の順に空気が流れるように構成したが、これに限らず、主燃料電池１０→補助燃料電池２０の順に空気が流れるように構成してもよい。
【００５８】
また、上記第３実施形態では、水素流路における第１の補助燃料電池２０の下流側に第２の補助燃料電池２００を設け、補助燃料電池を２段構成としたが、これに限らず、第２の補助燃料電池２００の下流側にさらに小型の燃料電池を設ける多段構成としもよい。
【００５９】
また、上記第２実施形態で用いた電磁バルブは、エアオペレートバルブなどの他の公知手段で駆動できることは自明である。
【図面の簡単な説明】
【図１】第１実施形態の燃料電池の主要部の構成を示す概念図である。
【図２】第２実施形態の燃料電池の主要部の構成を示す概念図である。
【図３】図２において、主燃料電池、分離部材、補助燃料電池のそれぞれが接する面の平面図である。
【図４】第３実施形態の燃料電池の主要部の構成を示す概念図である。
【符号の説明】
１０…主燃料電池、２０…補助燃料電池、３０…電気ヒータ（加熱手段）、３１…空気バルブ、３２…水素バルブ、３４…冷却水バルブ。
【図１】
2004171881.tif 000003
【図２】
2004171881.tif 000004
【図３】
2004171881.tif 000005
【図４】
2004171881.tif 000006